(57)【要約】【課題】安定して電池を充電することが可能な技術を提供する。【解決手段】直流電圧生成部４２０は、受電コイル４００が受ける電力に基づいて直流電圧４２５を生成する。充電部４７０は、直流電圧生成部４２０から供給される直流電圧４２５が、第１のしきい値以上あるいは第１のしきい値よりも大きくなると、直流電圧４２５に基づいて電池４１を充電する。充電部４７０は、直流電圧４２５が、第２のしきい値以下あるいは第２のしきい値未満になると、電池４１を充電しない。制御部３０は、充電部４７０が電池４１の充電を開始した後、電池４１に対して継続的に充電が行われていないと判定すると、充電電流Ｉｃを低減する。【選択図】図５
2016103896.tif 000002
【特許請求の範囲】
【請求項１】
電池と、
非接触充電装置から非接触で伝送される電力に基づいて前記電池を充電する充電処理部と、
前記充電処理部が前記電池に供給する充電電流を設定する設定部と、
前記電池に対して継続的に充電が行われているか否かを判定する判定部と
を備え、
前記充電処理部は、
前記非接触充電装置が有する送電コイルから供給される電力を受ける受電コイルと、
前記受電コイルが受ける電力に基づいて直流電圧を生成する生成部と、
前記生成部から供給される前記直流電圧が、第１のしきい値以上あるいは前記第１のしきい値よりも大きくなると、前記直流電圧に基づいて前記電池を充電し、前記直流電圧が、第２のしきい値以下あるいは前記第２のしきい値未満になると、前記電池を充電しない充電部と
を有し、
前記設定部は、前記充電部が前記電池の充電を開始した後、前記判定部において前記電池に対して継続的に充電が行われていないと判定されるときには、前記充電電流を低減する、電子機器。
【請求項２】
請求項１に記載の電子機器であって、
前記制御部は、前記充電電流を低減した後、前記判定部において前記電池に対して継続的に充電が行われていると判定される場合には、前記充電電流を元に戻す、電子機器。
【請求項３】
請求項２に記載の電子機器であって、
前記制御部は、前記充電電流を低減した後、前記判定部において前記電池に対して継続的に充電が行われていると判定される場合には、前記充電電流を段階的に元に戻す、電子機器。
【請求項４】
請求項１乃至請求項３のいずれか一つに記載の電子機器であって、
ユーザに対する通知を行う通知部をさらに備え、
前記通知部は、前記制御部が前記充電電流を低減した後、前記判定部において前記電池に対して継続的に充電が行われていないと判定される場合には、所定の通知を行う、電子機器。
【請求項５】
請求項４に記載の電子機器であって、
前記通知部は、表示部を含み、
前記所定の通知は、前記表示部の所定の表示を含む、電子機器。
【請求項６】
請求項１乃至請求項５のいずれか一つに記載の電子機器であって、
前記受電コイルは前記電池に取り付けられている、電子機器。
【請求項７】
電池を有する電子機器が、非接触充電装置から非接触で伝送される電力に基づいて前記電池を充電する充電方法であって、
前記電子機器が有する受電コイルが、前記非接触充電装置が有する送電コイルから電力を受ける工程と、
前記受電コイルが受ける電力に基づいて直流電圧を生成する工程と、
前記直流電圧が、第１のしきい値以上あるいは当該第１のしきい値よりも大きくなると、前記直流電圧に基づいて前記電池を充電する工程と、
前記直流電圧が、第２のしきい値以下あるいは当該第２のしきい値未満になると、前記電池を充電しない工程と、
前記電池に対して継続的に充電が行われているか否かを判定する工程と
を備え、
前記電池の充電が開始した後、前記電池に対して継続的に充電が行われていないと判定されるときには、前記電池に供給する充電電流が低減される、充電方法。
【発明の詳細な説明】
【技術分野】
【０００１】
本発明は、電子機器での電池の充電に関する。
【背景技術】
【０００２】
特許文献１にも記載されているように、従来から電子機器での電池の充電に関して、様々な技術が提案されている。
【先行技術文献】
【特許文献】
【０００３】
【特許文献１】特開２００８−１３１８１２号公報
【発明の概要】
【発明が解決しようとする課題】
【０００４】
さて、電池に対しては安定して充電できることが望まれる。
【０００５】
そこで、本発明は上述の点に鑑みて成されたものであり、安定して電池を充電することが可能な技術を提供することを目的とする。
【課題を解決するための手段】
【０００６】
上記課題を解決するため、本発明に係る電子機器の一態様は、電池と、非接触充電装置から非接触で伝送される電力に基づいて前記電池を充電する充電処理部と、前記充電処理部が前記電池に供給する充電電流を設定する設定部と、前記電池に対して継続的に充電が行われているか否かを判定する判定部とを備え、前記充電処理部は、前記非接触充電装置が有する送電コイルから供給される電力を受ける受電コイルと、前記受電コイルが受ける電力に基づいて直流電圧を生成する生成部と、前記生成部から供給される前記直流電圧が、第１のしきい値以上あるいは前記第１のしきい値よりも大きくなると、前記直流電圧に基づいて前記電池を充電し、前記直流電圧が、第２のしきい値以下あるいは前記第２のしきい値未満になると、前記電池を充電しない充電部とを有し、前記設定部は、前記充電部が前記電池の充電を開始した後、前記判定部において前記電池に対して継続的に充電が行われていないと判定されるときには、前記充電電流を低減する。
【０００７】
また、本発明に係る電子機器の一態様では、前記制御部は、前記充電電流を低減した後、前記判定部において前記電池に対して継続的に充電が行われていると判定される場合には、前記充電電流を元に戻す。
【０００８】
また、本発明に係る電子機器の一態様では、前記制御部は、前記充電電流を低減した後、前記判定部において前記電池に対して継続的に充電が行われていると判定される場合には、前記充電電流を段階的に元に戻す。
【０００９】
また、本発明に係る電子機器の一態様では、ユーザに対する通知を行う通知部がさらに設けられ、前記通知部は、前記制御部が前記充電電流を低減した後、前記判定部において前記電池に対して継続的に充電が行われていないと判定される場合には、所定の通知を行う。
【００１０】
また、本発明に係る電子機器の一態様では、前記通知部は、表示部を含み、前記所定の通知は、前記表示部の所定の表示を含む。
【００１１】
また、本発明に係る電子機器の一態様では、前記受電コイルは前記電池に取り付けられている。
【００１２】
また、本発明に係る充電方法の一態様は、電池を有する電子機器が、非接触充電装置から非接触で伝送される電力に基づいて前記電池を充電する充電方法であって、前記電子機器が有する受電コイルが、前記非接触充電装置が有する送電コイルから電力を受ける工程と、前記受電コイルが受ける電力に基づいて直流電圧を生成する工程と、前記直流電圧が、第１のしきい値以上あるいは当該第１のしきい値よりも大きくなると、前記直流電圧に基づいて前記電池を充電する工程と、前記直流電圧が、第２のしきい値以下あるいは当該第２のしきい値未満になると、前記電池を充電しない工程と、前記電池に対して継続的に充電が行われているか否かを判定する工程とを備え、前記電池の充電が開始した後、前記電池に対して継続的に充電が行われていないと判定されるときには、前記電池に供給する充電電流が低減される。
【発明の効果】
【００１３】
本発明の一態様によれば、安定して電池を充電することができる。
【図面の簡単な説明】
【００１４】
【図１】電子機器システムの構成を示す図である。
【図２】電子機器が非接触充電装置に搭載されている様子を示す図である。
【図３】電子機器の外観を示す裏面図である。
【図４】電子機器の電気的構成を示す図である。
【図５】充電処理部の構成を示す図である。
【図６】電子機器及び非接触充電装置の断面構造を示す図である。
【図７】電子機器の動作を示すフローチャートである。
【図８】直流電圧生成部の出力電流及び出力電圧を示す図である。
【図９】直流電圧生成部の出力電流及び出力電圧を示す図である。
【図１０】電子機器の動作を示すフローチャートである。
【発明を実施するための形態】
【００１５】
＜電子機器システムの全体構成＞
図１は実施の形態に係る電子機器システム１の構成を示す図である。図１に示されるように、本実施の形態に係る電子機器システム１は、電子機器２と、当該電子機器２に対して非接触充電を行う非接触充電装置５とを備えている。電子機器２は、例えば、スマートフォン等の携帯電話機である。電子機器２は、基地局及びサーバ等を通じて他の通信装置と通信することが可能である。非接触充電は「ワイヤレス充電」あるいは「無接点充電」とも呼ばれる。
【００１６】
非接触充電装置５の内部には、電子機器２に対して電力を送る送電コイル５００が設けられている。また電子機器２の内部には、送電コイル５００から供給される電力を受ける受電コイル４００が設けられている。電子機器２が備える電池は、受電コイル４００が受ける電力に基づいて充電される。図２に示されるように、電子機器２は、非接触充電装置５の上に置かれた状態で、非接触充電装置５によって充電される。非接触充電装置５は「充電台」とも呼ばれる。以後、非接触充電装置５を単に「充電装置５」と呼ぶ。
【００１７】
なお、図１，２には、１台の電子機器２を搭載可能な充電装置５が示されているが、複数台の電子機器２を搭載可能な充電装置５も存在する。このような充電装置５は、複数台の電子機器２を同時に充電可能である。また充電装置５は、スマートフォン等の携帯電話機の電池だけではなく、他の種類の電子機器の電池も充電可能である。
【００１８】
本実施の形態では、充電装置５による電子機器２に対する非接触充電は、例えばＱｉ（チー）と呼ばれる規格に準拠して行われる。Ｑｉは、ＷＰＣ（Wireless Power Consortium）が策定した国際標準規格である。充電装置５による電子機器２に対する非接触充電は、他の規格、例えば、ＰＭＡ（Power Matters Alliance）が定める規格に準拠しても良い。
【００１９】
＜電子機器の外観＞
図３は電子機器２の外観を示す裏面図である。図１〜３に示されるように、電子機器２は、平面視で略長方形の板状を成す板状の機器ケース２０を備えている。機器ケース２０の前面には、文字、記号、図形等の各種情報が表示される表示領域２１が設けられている。表示領域２１の裏面には後述するタッチパネル３３が貼り付けられている。これにより、ユーザは、電子機器２の前面の表示領域２１を指等で操作することによって、電子機器２に対して各種指示を与えることができる。なお、ユーザは、指以外の操作子、例えば、スタイラスペンなどの静電式タッチパネル用ペンで表示領域２１を操作することによっても、電子機器２に対して各種指示を与えることができる。
【００２０】
機器ケース２０の前面の下側端部及び上側端部にはマイク穴２２及びレシーバ穴２３がそれぞれ設けられている。機器ケース２０の前面の上側端部からは、後述する前面側撮像部３７が有する撮像レンズ３７０が視認可能となっている。また機器ケース２０の下側の側面には、充電用コネクタ４３０が設けられている。充電用コネクタ４３０には、例えばＵＳＢ（Universal Serial Bus）ケーブルが接続される。充電用コネクタ４３０には、ＵＳＢケーブルを介して外部電源が供給される。電子機器２は、充電装置５から供給される電力だけではなく、充電用コネクタ４３０に供給される外部電源によっても電池を充電することができる。
【００２１】
また、図３に示されるように、機器ケース２０の裏面には、スピーカ穴２４が設けられている。機器ケース２０の裏面からは、後述する裏面側撮像部３８が有する撮像レンズ３８０が視認可能となっている。
【００２２】
＜電子機器の電気的構成＞
図４は電子機器２の電気的構成を示すブロック図である。図４に示されるように、電子機器２には、制御部３０、無線通信部３１、表示パネル３２、タッチパネル３３、マイク３４及びレシーバ３５が設けられている。さらに電子機器２には、外部スピーカ３６、前面側撮像部３７、裏面側撮像部３８及び電源部３９が設けられている。電子機器２に設けられたこれらの構成要素は、機器ケース２０内に収められている。
【００２３】
制御部３０は、ＣＰＵ（Central Processing Unit）３００、ＤＳＰ（Digital Signal Processor）３０１及び記憶部３０２等を備えている。制御部３０は、電子機器２の他の構成要素を制御することによって、電子機器２の動作を統括的に管理する。
【００２４】
記憶部３０２は、ＲＯＭ（Read Only Memory）及びＲＡＭ（Random Access Memory）等の、制御部３０（ＣＰＵ３００及びＤＳＰ３０１）が読み取り可能な非一時的な記録媒体で構成されている。記憶部３０２には、電子機器２の動作、具体的には電子機器２が備える無線通信部３１、表示パネル３２等の各構成要素を制御するための制御プログラムであるメインプログラム及びアプリケーションプログラム等が記憶されている。制御部３０の各種機能は、ＣＰＵ３００及びＤＳＰ３０１が記憶部３０２内の各種プログラムを実行することによって実現される。なお、記憶部３０２は、ＲＯＭ及びＲＡＭ以外の、コンピュータが読み取り可能な非一時的な記録媒体を備えていても良い。記憶部３０２は、例えば、小型のハードディスクドライブ及びＳＳＤ（Solid State Drive）等を備えていても良い。
【００２５】
無線通信部３１は、アンテナ３１０を有している。無線通信部３１は、電子機器２とは別の携帯電話機あるいはインターネットに接続されたウェブサーバ等の通信装置からの信号を、基地局等を介してアンテナ３１０で受信する。無線通信部３１は、受信信号に対して増幅処理及びダウンコンバートを行って制御部３０に出力する。制御部３０は、入力される受信信号に対して復調処理等を行って、当該受信信号に含まれる、音声や音楽などを示す音信号などを取得する。また無線通信部３１は、制御部３０で生成された、音信号等を含む送信信号に対してアップコンバート及び増幅処理を行って、処理後の送信信号をアンテナ３１０から無線送信する。アンテナ３１０からの送信信号は、基地局等を通じて、電子機器２とは別の携帯電話機あるいはインターネットに接続された通信装置で受信される。
【００２６】
表示パネル３２は、例えば、液晶表示パネルあるいは有機ＥＬパネルである。表示パネル３２は、制御部３０によって制御されることによって、文字、記号、図形などの各種情報を表示する。表示パネル３２は、機器ケース２０内において、表示領域２１と対向して配置されている。表示パネル３２に表示される情報は、機器ケース２０の表示領域２１に表示される。
【００２７】
タッチパネル３３は、機器ケース２０の表示領域２１に対する指等の操作子による操作を検出する。タッチパネル３３は、例えば、投影型静電容量方式のタッチパネルであって、表示領域２１の裏面に貼り付けられている。ユーザが指等の操作子によって表示領域２１に対して操作を行ったとき、その操作に応じた電気信号がタッチパネル３３から制御部３０に入力される。制御部３０は、タッチパネル３３からの電気信号に基づいて、表示領域２１に対して行われた操作の内容を特定して、その内容に応じた処理を行う。
【００２８】
マイク３４は、電子機器２の外部から入力される音を電気的な音信号に変換して制御部３０に出力する。電子機器２の外部からの音はマイク穴２２から電子機器２の内部に取り込まれてマイク３４に入力される。
【００２９】
外部スピーカ３６は、例えばダイナミックスピーカである。外部スピーカ３６は、制御部３０からの電気的な音信号を音に変換して出力する。外部スピーカ３６から出力される音はスピーカ穴２４から外部に出力される。スピーカ穴２４から出力される音は、電子機器２から離れた場所でも聞こえるようになっている。
【００３０】
前面側撮像部３７は、撮像レンズ３７０及び撮像素子などで構成されている。前面側撮像部３７は、制御部３０による制御に基づいて、静止画像及び動画像を撮像する。裏面側撮像部３８は、撮像レンズ３８０及び撮像素子などで構成されている。裏面側撮像部３８は、制御部３０による制御に基づいて、静止画像及び動画像を撮像する。
【００３１】
レシーバ３５は受話音を出力する。レシーバ３５は例えばダイナミックスピーカで構成されている。レシーバ３５は、制御部３０からの電気的な音信号を音に変換して出力する。レシーバ３５から出力される音はレシーバ穴２３から外部に出力される。レシーバ穴２３から出力される音の音量は、スピーカ穴２４から出力される音の音量よりも小さくなっている。
【００３２】
電源部３９は電子機器２の電源を出力する。電源部３９から出力された電源は、電子機器２が備える制御部３０及び無線通信部３１などに含まれる各電子部品に対して供給される。電源部３９は、電池４１と、当該電池４１を充電する充電処理部４０とを備えている。電源部３９は電池４１からの電力を電子機器２の電源として出力する。また電源部３９は、電子機器２の外部から供給される電力を電子機器２の電源として出力することも可能である。電子機器２の外部から供給される電力には、充電装置５からの電力と、充電用コネクタ４３０に供給される外部電源とが含まれる。
【００３３】
受電コイル４００及び充電用コネクタ４３０は充電処理部４０に設けられている。充電処理部４０は、受電コイル４００が受ける、充電装置５の送電コイル５００からの電力、あるいは充電用コネクタ４３０に供給される外部電源に基づいて、電池４１を充電する。
【００３４】
＜充電処理部の構成＞
図５は充電処理部４０の構成を示す図である。図５に示されるように、充電処理部４０は、受電コイル４００と、受電処理部４１０と、充電用コネクタ４３０と、充電制御部４５０とを備えている。
【００３５】
受電処理部４１０は、受電コイル４００が受ける電力に基づいて直流電圧４２５を生成して出力する直流電圧生成部４２０を有している。直流電圧生成部４２０は、整流器４２１及び電圧調整部４２２を備えている。整流器４２１は、受電コイル４００で発生する電力を整流して直流電圧を生成する。電圧調整部４２２は、整流器４２１で生成された直流電圧を降圧して直流電圧４２５を生成する。また受電処理部４１０は、受電コイル４００を使用して、Ｑｉに準拠した通信方式に基づいて充電装置５と通信を行う。
【００３６】
充電制御部４５０は電池４１に対する充電を制御する。充電制御部４５０は、直流電圧生成部４２０から出力される直流電圧４２５あるいは充電用コネクタ４３０に供給される外部電源のいずれか一方に基づいて電池４１を充電する。充電制御部４５０は、選択部４６０と、充電部４７０と、状態判定部４８０とを備えている。
【００３７】
選択部４６０は、直流電圧生成部４２０から出力される直流電圧４２５及び充電用コネクタ４３０に供給される外部電源（外部電圧）のいずれか一方を選択して充電部４７０に出力する。具体的には、選択部４６０は、直流電圧生成部４２０から直流電圧４２５が供給されており、充電用コネクタ４３０から外部電源が供給されていない場合には、直流電圧４２５を充電部４７０出力する。また、選択部４６０は、直流電圧生成部４２０から直流電圧４２５が供給されておらず、充電用コネクタ４３０から外部電源が供給されている場合には、充電用コネクタ４３０からの外部電源を充電部４７０に出力する。そして、選択部４６０は、直流電圧生成部４２０から直流電圧４２５が供給され、かつ充電用コネクタ４３０から外部電源が供給されている場合には、例えば、充電用コネクタ４３０からの外部電源を充電部４７０に出力する。
【００３８】
充電部４７０は、直流電圧生成部４２０が出力する直流電圧４２５が選択部４６０から出力される場合には、当該直流電圧４２５に基づいて電池４１を充電する。一方で、充電部４７０は、充電用コネクタ４３０に供給される外部電源が選択部４６０から出力される場合には、当該外部電源に基づいて電池４１を充電する。充電部４７０が電池４１に供給する充電電流Ｉｃは制御部３０によって設定される。
【００３９】
状態判定部４８０は電池４１の充電状態を判定する。状態判定部４８０は、例えば、電池４１が充電中か否か、電池４１が放電中か否か、電池４１が満充電状態であるか否かを判定する。状態判定部４８０は、制御部３０からの要求に応じて、判定した電池４１の充電状態を制御部３０に通知する。電池４１の充電状態については、充電部４７０の動作状況、電池４１の電圧等に基づいて判定することができる。
【００４０】
＜送電コイルから受電コイルへの電力の伝送について＞
次に送電コイル５００から受電コイル４００への電力の伝送について詳細に説明する。図６は充電装置５と、それに搭載された電子機器２との断面構造の概略を示す図である。
【００４１】
受電コイル４００及び送電コイル５００のそれぞれは、巻回された導線で構成されている。受電コイル４００は、その導線の巻回軸が、電子機器２の機器ケース２０の裏面２００（機器ケース２０における、非接触充電装置５との接触面）に略直交する姿勢で配置されている。また送電コイル５００は、その導線の巻回軸が、充電装置５のケース５０における、電子機器２が載置される載置面１５０に略直交する姿勢で配置されている。
【００４２】
電子機器２の機器ケース２０内では、電池４１が表示パネル３２と対向して配置されている。電池４１は、表示パネル３２と対向する第１主面４１ａと、それとは反対側の第２主面４１ｂとを備えている。受電コイル４００は、磁性シート４０１に貼り付けられており、磁性シート４０１は電池４１の第２主面４１ｂに貼り付けられている。つまり、受電コイル４００は、磁性シート４０１を介して電池４１の第２主面４１ｂに取り付けられている。受電コイル４００は、機器ケース２０の裏面部分２１０に対向して配置されている。受電コイル４００と、機器ケース２０の裏面部分２１０との間には隙間が存在する。
【００４３】
充電装置５は、例えば、磁石付きの充電台である。充電装置５のケース５０内には、ケース５０における、電子機器２が載置される載置部分１５１と対向して磁性シート５１が設けられている。磁性シート５１は、ケース５０の載置部分１５１と対向する第１主面５１ａと、それとは反対側の第２主面５１ｂとを備えている。磁性シート５１の第１主面５１ａには送電コイル５００が貼り付けられている。送電コイル５００は、ケース５０の載置部分１５１と対向して配置されている。送電コイル５００と、ケース５０の載置部分１５１との間には隙間が存在する。また、送電コイル５００の中央部の空間には磁石５２が配置されている。つまり、送電コイル５００は磁石５２を取り囲むように配置されている。磁石５２は磁性シート５１に取り付けられている。
【００４４】
電子機器２の機器ケース２０の裏面２００が、非接触充電装置５のケース５０の載置面１５０に接触するように、電子機器２が載置面１５０に載置されると、受電コイル４００と送電コイル５００とが対向するようになる。この状態で送電コイル５００が通電され、送電コイル５００から磁束が発生すると、当該磁束は受電コイル４００に鎖交する。これにより、受電コイル４００には誘導起電力が発生する。つまり、受電コイル４００は、送電コイル５００から供給される電力を受ける。電子機器２の充電処理部４０では、受電コイル４００で発生する誘導起電力に基づいて電池４１が充電される。このような非接触充電は「電磁誘導充電」と呼ばれる。
【００４５】
電子機器２に設けられた磁性シート４０１及び充電装置５に設けられた磁性シート５１は、受電コイル４００及び送電コイル５００を通る磁束が外側に漏れることを抑制する。これにより、充電装置５から電子機器２に電力を伝送する際の電力伝送効率（「電力給電効率」とも呼ばれる）が向上する。
【００４６】
なお、本実施の形態に係る電子機器２には磁石は設けられていないが、非接触受電対応の電子機器の中には、磁石が設けられた電子機器も存在する。このような電子機器が充電装置５で充電される場合には、電子機器側の磁石と、充電装置５側の磁石５２とが引き合うことで、電子機器側の受電コイルと、充電装置５側の送電コイル５００とが適切に対向するように両者が位置合わせされる。これにより、受電コイルと送電コイル５００との間の位置ずれによって電力伝送効率が低下することを抑制することができる。
【００４７】
＜非接触充電時の電子機器システムの基本動作＞
次に非接触充電時の電子機器システム１の基本的な動作について説明する。ここでの説明では、充電用コネクタ４３０には外部電源が供給されていないものとする。
【００４８】
上述の図６に示されるように電子機器２が充電装置５に搭載されると、電子機器２の受電処理部４１０と充電装置５とが通信を開始する。受電処理部４１０と充電装置５とが通信することによって、電子機器２と充電装置５との間で非接触充電に関する初期設定が行われる。
【００４９】
初期設定では、例えば、電子機器２と充電装置５との間で使用される電力伝送周波数が決定される。電子機器システム１では、電力の伝送に使用することが可能な複数種類の周波数が定められている。電子機器２と充電装置５とが通信することによって、複数種類の周波数のうち、最も電力伝送効率が大きくなる周波数が特定される。この特定された周波数が電力伝送周波数となる。また初期設定では、電子機器２は、自身の充電に必要な電力を充電装置５に通知する。
【００５０】
初期設定が完了すると、充電装置５は電子機器２の充電に必要な電力を送電コイル５００から送信する。電子機器２では、受電処理部４１０の直流電圧生成部４２０が、受電コイル４００が送電コイル５００から受けた電力に基づいて直流電圧４２５を生成して充電制御部４５０に出力する。
【００５１】
充電制御部４５０では、選択部４６０が直流電圧生成部４２０からの直流電圧４２５を選択して充電部４７０に出力する。充電部４７０は、直流電圧４２５が第１のしきい値よりも大きくなると、当該直流電圧４２５に基づいて電池４１を充電する。一方で、充電部４７０は、直流電圧４２５が第２のしきい値よりも小さくなると電池４１を充電しない。第１のしきい値と第２のしきい値とは互いに同じであっても良いし、互いに異なっていても良い。また、充電部４７０は、直流電圧４２５が第１のしきい値以上になると、当該直流電圧４２５に基づいて電池４１を充電しても良い。また、充電部４７０は、直流電圧４２５が第２のしきい値以下になると電池４１を充電しなくても良い。
【００５２】
充電部４７０は、電池４１を充電する際には、まず定電流出力モードで動作する。つまり、充電部４７０は、直流電圧４２５に基づいて一定の充電電流Ｉｃを生成し、当該充電電流Ｉｃを電池４１に供給することによって電池４１を充電する。言い換えれば、充電部４７０は、電池４１に流れる充電電流Ｉｃが一定となるように、直流電圧４２５に基づいて電池４１を充電する。そして、充電部４７０は、電池４１の電圧が第３のしきい値よりも大きくなると、定電圧出力モードで動作する。つまり、充電部４７０は、直流電圧４２５に基づいて一定の出力電圧を生成し、当該出力電圧を電池４１に供給することによって電池４１を充電する。その後、充電部４７０は、電池４１に流れる充電電流Ｉｃが第４のしきい値未満になると、電池４１に対する充電を終了する。以後、特に断らない限り、充電電流Ｉｃと言えば、充電部４７０が定電流出力モードで電池４１に供給する一定の充電電流Ｉｃを意味する。
【００５３】
本実施の形態では、充電電流Ｉｃは制御部３０によって設定される。つまり、制御部３０は、充電電流Ｉｃを設定する設定部として機能する。制御部３０は、複数種類の電流値から、充電電流Ｉｃの値を設定することができる。制御部３０は、例えば、２００ｍＡ、４００ｍＡ、６００ｍＡ、８００ｍＡの中から、充電電流Ｉｃの値を設定する。
【００５４】
状態判定部４８０は、電池４１の充電が開始された後、電池４１の充電が所定時間以上継続すると、電池４１が充電中であると判定する。つまり、状態判定部４８０では、電池４１の充電が開始された直後は、電池４１が充電中と判定されない。状態判定部４８０は、電池４１に流れる充電電流Ｉｃが第４のしきい値未満になると、電池４１が満充電状態であると判定する。状態判定部４８０は、充電部４７０が電池４１を充電していない場合には、電池４１が放電中であると判定する。また状態判定部４８０は、充電部４７０が電池４１の充電を開始し、電池４１が放電中であると判定するまでは、つまり電池４１の充電が所定時間以上継続するまでは、電池４１が放電中であると判定する。したがって、状態判定部４８０では、電池４１の充電が開始された直後は、電池４１が放電中と判定される。
【００５５】
なお、電池４１に温度センサーが設けられている場合には、状態判定部４８０は、当該温度センサーの出力信号に基づいて、電池４１の温度異常を判定しても良い。
【００５６】
以上のように、電子機器２では、充電装置５から伝送される電力に基づいて電池４１が充電される。
【００５７】
＜供給電力が不足する場合の電子機器の充電動作＞
上記の例では、磁石内蔵型の充電装置５が示されているが、充電装置５には様々な種類が存在する。例えば、送電コイルと受電コイルとの位置合わせの方式の観点からは、磁石内蔵型の充電装置５以外にも、ムービングコイル方式の充電装置５、コイルアレイ方式の充電装置５などが存在する。
【００５８】
ムービングコイル方式の充電装置５では、電子機器２の受電コイル４００の位置が検出され、その検出結果に基づいて、送電コイル５００が受電コイル４００に適切に対向するように送電コイル５００が移動する。これにより、電子機器２が充電装置５の載置面１５０のどの部分に載置されたとしても、受電コイル４００と送電コイル５００との間の位置関係が適切となる。
【００５９】
コイルアレイ方式の充電装置５では、複数の送電コイル５００がアレイ状に配置されている。コイルアレイ方式の充電装置５では、各送電コイル５００が、その周辺の送電コイル５００と部分的に重なるように配置される。このような充電装置５では、電子機器２が充電装置５の載置面１５０のどの部分に載置されたとしても、受電コイル４００は、自身に近い送電コイル５００からの電力を適切に受けることができる。
【００６０】
また充電装置５においては、送電コイル５００と受電コイル４００との位置合わせの方式が異なるだけではなく、送電コイル５００のサイズ、送電コイル５００の特性、送電コイル５００の配置位置等も異なることがある。さらに、充電装置５が磁性シート５１を備える場合には、その厚み、特性等が異なることがある。
【００６１】
このように、充電装置５には、送電コイル５００と受電コイル４００との位置合わせの方式、送電コイル５００の特性等の観点から、様々な種類が存在する。そのため、使用される充電装置５によっては、電子機器２が充電装置５から供給される電力が十分ではないことがある。電子機器２が充電装置５から受ける電力が小さくなる原因として以下のものが考えられる。以後、受電コイル４００と送電コイル５００との結合を「コイル間結合」と呼ぶことがある。
【００６２】
例えば、使用される充電装置５の種類によっては、電子機器２が充電装置５に載置された際の受電コイル４００と送電コイル５００との間の距離が大きい場合がある。この場合にはコイル間結合が弱くなって、電子機器２が充電装置５から受ける電力が小さくなる。本実施の形態のように、受電コイル４００が電池４１に取り付けられている場合には、受電コイル４００が機器ケース２０の裏面部分２１０の内側の面に取り付けられる場合と比較して、電子機器２が充電装置５に載置された際の受電コイル４００と送電コイル５００との間の距離が大きくなる。したがって、使用される充電装置５の種類によってはコイル間結合が弱くなることがある。
【００６３】
また、電子機器２が充電装置５に載置された際の受電コイル４００と送電コイルとの位置関係がずれている場合には、コイル間結合が弱くなって、電子機器２が充電装置５から受ける電力が小さくなる。例えば、コイルアレイ方式の充電装置５が使用される場合には、複数の送電コイル５００が重なっている部分に受電コイル４００が対向するように、電子機器２が当該充電装置５に搭載されることがある。この場合には、受電コイル４００は、当該複数の送電コイル５００のそれぞれと結合が弱くなる。
【００６４】
また、使用される充電装置５の種類によっては、受電コイル４００のサイズと、送電コイルのサイズとが異なることがある。この場合には、コイル間結合が弱くなって、電子機器２が充電装置５から受ける電力が小さくなる。また、電子機器２の小型化により、受電コイル４００のサイズが小さくなると、受電コイル４００のサイズと、送電コイルのサイズとが異なる可能性が高くなり、コイル間結合が弱くなることがある。
【００６５】
また、電子機器２が備える磁性シート４０１が磁気飽和する場合には、コイル間結合が弱くなって、電子機器２が充電装置５から受ける電力が小さくなる。例えば、電子機器２の小型化により、磁性シート４０１が薄くなると、磁性シート４０１が磁気飽和しやすくなる。その結果、コイル間結合が弱くなる。また、磁石が内蔵された充電装置５が使用される場合には、当該磁石の影響により磁性シート４０１が磁気飽和しやすくなる。その結果、コイル間結合が弱くなる。
【００６６】
また、電子機器システム１において、電力伝送効率を高めるために、受電コイル４００及び送電コイル５００のそれぞれにコンデンサを接続して、電子機器２及び充電装置のそれぞれに共振回路を設ける場合がある。この場合には、充電装置の種類によっては、電子機器２側の共振回路と充電装置側の共振回路とのインピーダンスマッチングが適切でないことがある。その結果、電子機器２が充電装置５から受ける電力が小さくなる。
【００６７】
このように、使用される充電装置５と電子機器２との間には相性があり、使用される充電装置５によっては、充電装置５から電子機器２に十分な電力が供給されないことがある。電子機器２では、充電装置５から十分な電力が供給されない場合には、当該電力に基づいて電池４１が安定して充電されないことがある。以下にこの点について詳細に説明する。
【００６８】
電子機器２では、充電装置５から充電に必要な電力が供給されると、受電処理部４１０が出力する直流電圧４２５が第１のしきい値よりも大きくなって、充電部４７０は電池４１の充電を開始する。充電電流Ｉｃが大きい値（例えば８００ｍＡ）に設定されている場合には、電池４１の充電が開始すると、直流電圧生成部４２０の出力電流が急激に大きくなる。このとき、充電装置５から十分な電力が電子機器２に供給されている場合には、つまり受電コイル４００が十分な電力を受けている場合には、直流電圧生成部４２０の出力電圧、つまり直流電圧４２５はそれほど低下しない。したがって、充電装置５から十分な電力が電子機器２に供給されている場合には、直流電圧４２５は第２のしきい値よりも小さくなることはなく、充電部４７０は電池４１の充電を開始した後、継続的に電池４１を充電することができる。
【００６９】
一方で、充電装置５から電子機器２に供給される電力が十分ではない場合には、電池４１の充電開始時に直流電圧生成部４２０の出力電流が急激に大きくなると、直流電圧生成部４２０の出力電圧である直流電圧４２５が大きく低下し、直流電圧４２５が第２のしきい値よりも小さくなることがある。この場合には、電池４１の充電が開始した直後に直流電圧４２５が第２のしきい値よりも小さくなり、充電部４７０は電池４１に対する充電を停止する。電池４１に対する充電が停止すると、直流電圧４２５が上昇して第１のしきい値よりも大きくなる。そうすると、充電部４７０は電池４１に対する充電を再開し、直流電圧生成部４２０の出力電流が再び急激に大きくなる。そうすると、直流電圧４２５が低下し、第２のしきい値よりも小さくなって電池４１に対する充電が停止する。以後、充電停止及び充電再開が繰り返し行われる。
【００７０】
なお、充電装置５から電子機器２に供給される電力によっては、充電電流Ｉｃが８００ｍＡよりも小さい値に設定されている場合であっても、充電開始時に直流電圧４２５が第２のしきい値よりも小さくなることがある。
【００７１】
また、上述のように、電子機器２と充電装置５との間の初期設定では、最も電力伝送効率が大きくなる周波数が電力伝送周波数に決定されるが、電池４１の充電が開始し、直流電圧生成部４２０の出力電流が大きくなると、最も電力伝送効率が大きくなる周波数が変化し、電力伝送周波数での電力伝送効率が低下することがある。この場合には、充電時において充電装置５から電子機器２に供給される電力が小さくなり、充電停止及び充電再開が繰り返し行われることがある。
【００７２】
このように、使用される充電装置５の種類によっては、充電装置５から電子機器２に供給される電力が十分ではない場合がある。この場合には、電子機器２では、充電開始と充電停止とが繰り返して実行されることがあり、電池４１を安定して充電することができないことがある。
【００７３】
そこで、本実施の形態に係る電子機器２では、充電装置５の種類にかかわらず、電池４１を安定して充電することが可能な充電処理が行われる。以下にこの充電処理について詳細に説明する。
【００７４】
＜充電処理の詳細＞
図７は電子機器２での充電処理を示すフローチャートである。電子機器２が充電装置５に搭載されると、ステップｓ１において、受電処理部４１０は、充電装置５との通信を開始する。受電処理部４１０は、充電装置５との通信を開始すると、制御部３０に対して通信開始信号を出力する。この通信開始信号は、例えば、制御部３０のＣＰＵ３００の割り込み端子に入力される。制御部３０は、通信開始信号を受け取ることによって、電子機器２が充電装置５に置かれたことを認識する。制御部３０のＣＰＵ３００は、割り込み端子に通信開始信号が入力されると、所定時間の計測を開始する割り込み処理を実行する。この所定時間は例えば数秒〜数十秒に設定される。
【００７５】
電子機器２と充電装置５との間の初期設定が完了し、送電コイル５００から電池４１に充電に必要な電力が電子機器２に供給され始めると、ステップｓ２において、受電処理部４１０は、受電コイル４００が受ける電力に基づいて直流電圧４２５を生成して出力する。充電部４７０は、直流電圧４２５が第１のしきい値よりも大きくなると、ステップｓ３において、電池４１の充電を開始する。このときの充電電流Ｉｃは例えば８００ｍＡに設定される。
【００７６】
ステップｓ３の後、制御部３０は、ＣＰＵ３００での所定時間の計測が完了すると、つまり、通信開始信号を受けとってから所定時間が経過すると、ステップｓ４において、電池４１に対して継続的に充電が行われているか否かを判定する。具体的には、制御部３０は、状態判定部４８０での充電状態の判定結果を確認する。制御部３０は、状態判定部４８０において、電池４１が充電中であると判定されているときには、電池４１に対して継続的に充電が行われていると判定する。一方で、制御部３０は、状態判定部４８０において、電池４１が放電中であると判定されているときには、電池４１に対して継続的に充電が行われていないと判定する。
【００７７】
ここで、上述のように、状態判定部４８０では、電池４１の充電が開始してから電池４１の充電が所定時間以上継続すると、電池４１が充電中であると判定される。したがって、電池４１の充電が開始した後、状態判定部４８０において、電池４１が充電中であると判定されているときには、電池４１に対して継続的に充電が行われていると判定することができる。一方で、電池４１の充電が開始した後、すぐに電池４１の充電が停止する場合には、状態判定部４８０では、電池４１が充電中であると判定されず、電池４１が放電中であると判定される。したがって、電池４１の充電が開始した後、状態判定部４８０において、電池４１が放電中であると判定されているときには、充電停止及び充電再開が繰り返し行われて、電池４１に対して継続的に充電が行われていないと判定することができる。
【００７８】
このように、制御部３０は、電池４１に対して継続的に充電が行われているか否かを判定する判定部として機能する。なお、電子機器２と充電装置５との間の初期設定は１秒以内に完了することから、制御部３０での所定時間の計測は、電池４１の充電が開始した後、しばらく経過してから完了する。つまり、電池４１の充電が開始した後、しばらく経過してからステップｓ４が実行される。
【００７９】
制御部３０は、電池４１に対して継続的に充電が行われていると判定すると、充電部４７０に対する制御は特に行わずに、充電部４７０に充電処理を継続させる（ステップｓ８）。一方で、制御部３０は、電池４１に対して継続的に充電が行われていないと判定すると、ステップｓ５において充電電流Ｉｃを低減する。例えば、制御部３０は、充電電流Ｉｃを８００ｍＡから２００ｍＡに低減する。
【００８０】
ステップｓ５の後、ステップｓ６において、制御部３０は、再度、ステップｓ４と同様に、電池４１に対して継続的に充電が行われているか否かを判定する。制御部３０は、電池４１に対して継続的に充電が行われていると判定すると、ステップｓ７において、充電電流Ｉｃを元に戻す。つまり、制御部３０は、充電電流Ｉｃを２００ｍＡから８００ｍＡに変更する。このとき、制御部３０は、電池４１に対して継続的に充電が行われていると判定してから所定時間後に充電電流Ｉｃを元に戻しても良い。その後、制御部３０は、充電部４７０に充電処理を継続させる（ステップｓ８）。
【００８１】
ここで、ステップｓ３において充電部４７０が電池４１の充電を開始したにもかかわらず、ステップｓ４において、電池４１に対して継続的に充電が行われていると判定されない場合には、充電装置５からの供給電力が十分ではなく、上記のように、充電停止及び充電再開が繰り返し行われている可能性が高い。
【００８２】
本実施の形態では、ステップｓ４において、電池４１に対して継続的に充電が行われていないと判定される場合には、上述のように、ステップｓ５において充電電流Ｉｃが低減される。これにより、直流電圧生成部４２０の出力電流が急激に増加することを抑制でき、充電装置５からの供給電力が十分でないことによる直流電圧４２５の低下を抑制することができる。よって、充電装置５からの供給電力が十分でない場合であっても、ステップｓ５の後の充電再開時に直流電圧４２５が第２のしきい値よりも小さくなることを抑制することができる。その結果、長い間、充電停止及び充電再開が繰り返し行われることを抑制することができる。
【００８３】
図８は充電開始時（充電再開時）の直流電圧生成部４２０の出力電流及び出力電圧を示す図である。図８の上側のグラフは、直流電圧生成部４２０の出力電流の時間変化を示しており、図８の下側のグラフは、直流電圧生成部４２０の出力電圧の時間変化を示している。また図８では、実線のグラフが、充電電流Ｉｃが２００ｍＡに設定されている場合の直流電圧生成部４２０の出力電流及び出力電圧を示しており、破線のグラフが、充電電流Ｉｃが８００ｍＡに設定されている場合の直流電圧生成部４２０の出力電流及び出力電圧を示している。
【００８４】
図８に示されるように、充電電流Ｉｃが８００ｍＡに設定されている場合に充電が開始（再開）すると、充電装置５からの供給電力が十分でない場合には、直流電圧生成部４２０の出力電圧、つまり直流電圧４２５が、第２のしきい値よりも小さくなることがある。直流電圧４２５が第２のしきい値よりも小さくなると充電が停止する。充電が停止すると、図８に示されるように、直流電圧４２５が上昇して第１のしきい値よりも大きくなり充電が再開する。充電が再開すると、直流電圧生成部４２０の出力電流が再び急激に大きくなる。そうすると、直流電圧４２５が低下して第２のしきい値よりも小さくなり、充電が停止する。以後、充電停止及び充電再開が繰り返し行われる。
【００８５】
一方で、充電電流Ｉｃが２００ｍＡに設定されている場合に充電が開始（再開）する際に、図８に示されるように、直流電圧生成部４２０の出力電流は急激に大きくならないことから、充電装置５からの供給電力が十分でない場合であっても、直流電圧４２５が第２のしきい値よりも小さくなることを抑制することができる。その結果、充電停止及び充電再開が繰り返し行われることを抑制することができる。
【００８６】
このように、本実施の形態では、制御部３０は、充電部４７０が電池４１の充電を開始した後、電池４１に対して継続的に充電が行われていないと判定されるときには、充電電流Ｉｃを低減することから、長い間、充電停止及び充電再開が繰り返し行われることを抑制することができる。その結果、電子機器２は電池４１に対して安定して充電することができる。
【００８７】
さらに、充電部４７０が電池４１の充電を開始した後、電池４１に対して継続的に充電が行われていると判定されるときには、充電電流Ｉｃが低減することが無いことから、充電装置５からの供給電力が十分である場合には、大きい充電電流Ｉｃで電池４１を充電することができる。よって、充電時間、つまり電池４１の充電開始から電池４１が満充電となるまでの時間を短くすることができる。
【００８８】
また上述のように、直流電圧生成部４２０の出力電流が急激に変化する場合には、直流電圧４２５が第２のしきい値よりも小さくなる可能性が高くなることから、直流電圧生成部４２０の出力電流が急激に変化することを抑制できれば、直流電圧４２５が第２のしきい値よりも小さくなることを抑制できる。例えば、充電電流Ｉｃを２００ｍＡから８００ｍＡに変化させる場合には、充電電流Ｉｃが８００ｍＡに設定された状態で充電が開始する場合、つまり充電電流Ｉｃを０ｍＡから８００ｍＡに変化させる場合よりも、直流電圧生成部４２０の出力電流が急激に変化することを抑制することができる。一方で、ステップｓ５が実行された後、低減された充電電流Ｉｃによって電池４１の充電が継続されると、電池４１の充電時間が長くなる。
【００８９】
そこで、本実施の形態では、ステップｓ５において充電電流Ｉｃが低減された後に、ステップｓ６において、制御部３０は、再度、ステップｓ４と同様に、電池４１に対して継続的に充電が行われているか否かを判定する。制御部３０は、電池４１に対して継続的に充電が行われていると判定すると、ステップｓ７において、充電電流Ｉｃを元に戻す。つまり、制御部３０は、充電電流Ｉｃを２００ｍＡから８００ｍＡに変更する。その後、制御部３０は、充電部４７０に充電処理を継続させる（ステップｓ８）。これにより、いつまでも小さい充電電流Ｉｃのままで電池４１が充電されることを抑制することができる。その結果、充電時間を短縮することができる。
【００９０】
図９は直流電圧生成部４２０の出力電流及び出力電圧を示す図である。図９の上側のグラフは、直流電圧生成部４２０の出力電流の時間変化を示しており、図９の下側のグラフは、直流電圧生成部４２０の出力電圧の時間変化を示している。また図９では、実線のグラフが、充電電流Ｉｃが２００ｍＡから８００ｍＡに変更された場合の直流電圧生成部４２０の出力電流及び出力電圧を示しており、破線のグラフが、充電電流Ｉｃが０ｍＡから８００ｍＡに変更された場合の直流電圧生成部４２０の出力電流及び出力電圧を示している。
【００９１】
図９に示されるように、充電電流Ｉｃが２００ｍＡから８００ｍＡに変更される場合には、直流電圧生成部４２０の出力電流が急激に変化することを抑制することができるため、直流電圧４２５が第２のしきい値よりも小さくなることを抑制できる。
【００９２】
ステップｓ６において、制御部３０は、電池４１に対して継続的に充電が行われていないと判定すると、ステップｓ９において、電子機器２はユーザに対して所定の通知を行う。ステップｓ９では、例えば、表示パネル３２が所定の表示を行うことによって、ユーザに対して所定の通知が行われる。ステップｓ１０では、表示パネル３２は、例えば、充電が不安定である旨を通知する情報を表示する。当該情報としては、例えば、電子機器２を充電装置５に置き直すことを促す情報、電子機器２の機器ケース２０に取り付けられている保護カバーを外すことを促す情報が挙げられる。ステップｓ９において、表示パネル３２が所定の表示を行う場合には、表示パネル３２は文字を表示しても良いし、図形を表示しても良い。またステップｓ９では、表示パネル３２が所定の表示を行うことに加えて、あるいはそれに代えて、外部スピーカ３６が所定の音を出力することによって、ユーザに対して所定の通知が行われても良い。
【００９３】
ステップｓ５において充電電流Ｉｃが低減された後においても、電池４１に対して継続的に充電が行われない場合には、言い換えれば、充電停止及び充電再開が繰り返される場合には、充電装置５からの供給電力がかなり不足していると考えることができる。このような場合には、上述のようにユーザに対して所定の通知を行うことによって、ユーザに対して受電コイル４００と送電コイル５００との結合の改善を促すことができる。
【００９４】
以上のように、本実施の形態に係る電子機器２では、電池４１の充電が開始された後、電池４１に対して継続的に充電が行われていないと判定されるときには、充電電流Ｉｃが低減される。したがって、使用される充電装置５と電子機器２との間の相性によって、電子機器２に対して充電装置５から供給される電力が十分でない場合であっても、電池４１を安定して充電することができる。つまり、使用される充電装置５の種類にかかわらず、電子機器２は電池４１を安定して充電することができる。
【００９５】
また、充電電流Ｉｃを変化させずに最初から小さくすることによって、充電停止及び充電再開が繰り返し行われることを抑制することができる。しかしながら、この場合には、使用される充電装置５の種類にかかわらず、つまり充電装置５からの供給電力にかかわらず、充電時間が長くなってしまう。また、充電開始時の充電電流Ｉｃを小さくしておいて、充電電流Ｉｃを段階的に大きくすることによっても、直流電圧生成部４２０の出力電流が急激に大きくなることを抑制することができることから、充電停止及び充電再開が繰り返し行われることを抑制することができる。しかしながら、この場合には、使用される充電装置５の種類にかかわらず充電開始時の充電電流Ｉｃが小さくなる。よって、使用される充電装置５の種類にかかわらず充電時間が長くなってしまう。さらに、充電装置５から十分な電力が供給される場合には、充電電流Ｉｃを段階的に大きくすることは不要な制御である。本実施の形態では、電池４１の充電開始後、電池４１に対して継続的に充電が行われていると判定される場合には、充電電流Ｉｃが低減されずに維持されることから、充電装置５から十分な電力が供給される場合に充電時間が長くなることを抑制することができる。さらに、充電装置５から十分な電力が供給される場合に、不要な制御が行われることを抑制することができる。
【００９６】
また本実施の形態では、充電電流Ｉｃの低減後、電池４１に対して継続的に充電が行われていると判定される場合には、充電電流Ｉｃが元に戻されることから、いつまでも小さい充電電流Ｉｃで電池４１が充電されることを抑制することができる。よって、充電装置５からの供給電力が十分でない場合であっても、充電時間を短くすることができる。
【００９７】
なお上記の例では、電子機器２は、スマートフォン等の携帯電話機であったが、充電可能な電池を有する他の装置、例えば、タブレット型端末、音楽プレーヤなどであっても良い。
【００９８】
また上記の例では、充電電流Ｉｃの低減後、電池４１に対して継続的に充電が行われていると判定されると、充電電流Ｉｃが元に戻されているが、元に戻されなくても良い。
【００９９】
また上記の例では、充電開始時の充電電流Ｉｃが８００ｍＡであったが、これに限られない。また上記の例では、低減後の充電電流Ｉｃが２００ｍＡであったが、これに限られない。
【０１００】
また、電子機器２では、使用される充電装置５との相性が悪く、充電装置５からの供給電力が小さい場合には、充電電流Ｉｃが２００ｍＡから８００ｍＡに変化するときであっても、直流電圧４２５が第２のしきい値よりも小さくなることがある。このような場合に、充電電流Ｉｃの低減後に電池４１に対して継続的に充電が行われていると判定されたときに充電電流Ｉｃをすぐに元に戻すと、直流電圧４２５が第２のしきい値よりも小さくなり、電池４１の充電が停止することがある。よって、ステップｓ７において充電電流Ｉｃをすぐに元に戻すと、充電再開及び充電停止を繰り返すことがある。
【０１０１】
そこで、ステップｓ７において、制御部３０は充電電流Ｉｃを段階的に戻す処理を行っても良い。言い換えれば、制御部３０は、低減した充電電流Ｉｃを段階的に増加させても良い。例えば、制御部３０は、充電電流Ｉｃを、まず２００ｍＡから４００ｍＡに変更する。制御部３０は、充電電流Ｉｃを４００ｍＡに設定してから所定時間が経過すると６００ｍＡに設定する。そして、制御部３０は、充電電流Ｉｃを６００ｍＡに設定してから所定時間が経過すると８００ｍＡに設定する。
【０１０２】
このように、ステップｓ７において、充電電流Ｉｃが段階的に戻されることによって、直流電圧生成部４２０の出力電流が急激に大きくなることをさらに抑制することができることから、充電電流Ｉｃを元に戻す際に充電再開及び充電停止が繰り返されることを抑制することができる。その結果、電池４１を安定して充電することができる。
【０１０３】
なお制御部３０は、充電電流Ｉｃを１段戻すたびに、電池４１に対して継続的に充電が行われているか判定しても良い。例えば、制御部３０は、充電電流Ｉｃを２００ｍＡから４００ｍＡに変更した後に、電池４１に対して継続的に充電が行われているか否かを判定する。制御部３０は、電池４１に対して継続的に充電が行われていると判定した場合には、充電電流Ｉｃを６００ｍＡに設定する。一方で、制御部３０は、電池４１に対して継続的に充電が行われていないと判定した場合に、充電電流Ｉｃを２００ｍＡに戻す。また、制御部３０は、充電電流Ｉｃを４００ｍＡから６００ｍＡに変更した後に、電池４１に対して継続的に充電が行われているか否かを判定する。制御部３０は、電池４１に対して継続的に充電が行われていると判定した場合には、充電電流Ｉｃを８００ｍＡに設定する。一方で、制御部３０は、電池４１に対して継続的に充電が行われていないと判定した場合に、充電電流Ｉｃを４００ｍＡに戻す。
【０１０４】
また、ステップｓ４において、電池４１に対して継続的に充電が行われていないと判定された場合には、図１０に示されるように、電子機器２は、充電電流Ｉｃの低減を行わずに、ステップｓ９を行って、ユーザに対して所定の通知を行っても良い。この場合には、ユーザが電子機器２を充電装置５に置き直したり、電子機器２の機器ケース２０に取り付けられた保護カバーを取り外したりすることによって、受電コイル４００と送電コイル５００との結合が改善される。そして、電子機器２では、ステップｓ１〜ステップｓ４が再度実行される。
【０１０５】
以上のように、電子機器システム１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【０１０６】
２  電子機器
３０  制御部
３２  表示パネル
４０  充電処理部
４１  電池
４００  受電コイル
４２０  直流電圧生成部
４７０  充電部
【図１】
2016103896.tif 000003
【図２】
2016103896.tif 000004
【図３】
2016103896.tif 000005
【図４】
2016103896.tif 000006
【図５】
2016103896.tif 000007
【図６】
2016103896.tif 000008
【図７】
2016103896.tif 000009
【図８】
2016103896.tif 000010
【図９】
2016103896.tif 000011
【図１０】
2016103896.tif 000012